(57)【要約】【課題】エプロン部にカウンター部を着脱自在に設けた場合であっても、カウンター部を使用する意図のないときには、カウンター部が浴室の使用者の使い勝手に影響を及ぼさない浴室設備を提供することを目的とする。【解決手段】洗い場が設けられた浴室設備であって、前記洗い場と並べて設置された浴槽本体と、前記浴槽本体の前記洗い場側に設けられたエプロン部と、前記浴槽本体と前記洗い場とが並ぶ前後方向と直交する左右方向において、前記浴槽本体の上に並べて載置される複数の風呂蓋と、を備え、前記エプロン部は、前記複数の風呂蓋の少なくとも１つを着脱可能に保持する保持部を有し、前記保持部は、前記前後方向及び前記左右方向に延びるように前記少なくとも１つの風呂蓋を保持することを特徴とする浴室設備が提供される。【選択図】図６
2019208841.tif 000002
【特許請求の範囲】
【請求項１】
洗い場が設けられた浴室設備であって、
前記洗い場と並べて設置された浴槽本体と、
前記浴槽本体の前記洗い場側に設けられたエプロン部と、
前記浴槽本体と前記洗い場とが並ぶ前後方向と直交する左右方向において、前記浴槽本体の上に並べて載置される複数の風呂蓋と、
を備え、
前記エプロン部は、前記複数の風呂蓋の少なくとも１つを着脱可能に保持する保持部を有し、
前記保持部は、前記前後方向及び前記左右方向に延びるように前記少なくとも１つの風呂蓋を保持することを特徴とする浴室設備。
【請求項２】
前記保持部に保持された状態において、前記少なくとも１つの風呂蓋の前記左右方向の長さは、前記少なくとも１つの風呂蓋の前記前後方向の長さよりも長いことを特徴とする請求項１に記載の浴室設備。
【請求項３】
前記複数の風呂蓋の数は、３つ以上であり、
前記少なくとも１つの風呂蓋は、前記浴槽本体の上に並べて載置された状態において、前記複数の風呂蓋の他の風呂蓋よりも前記左右方向における長さが短いことを特徴とする請求項２に記載の浴室設備。
【請求項４】
前記保持部は、前記エプロン部に設けられた開口部であり、
前記少なくとも１つの風呂蓋は、前記開口部に挿入することによって前記開口部に保持されることを特徴とする請求項１〜３のいずれか１つに記載の浴室設備。
【請求項５】
前記少なくとも１つの風呂蓋は、前記開口部に挿入された際に前記エプロン部と係合する係合部を有することを特徴とする請求項４に記載の浴室設備。
【請求項６】
前記少なくとも１つの風呂蓋の前記係合部は、前記浴槽本体の上に載置された際に、隣接する別の前記風呂蓋に設けられた被係合部と係合することを特徴とする請求項５に記載の浴室設備。
【請求項７】
前記エプロン部は、前記開口部を開閉するカバーをさらに有することを特徴とする請求項４〜６のいずれか１つに記載の浴室設備。
【請求項８】
前記カバーは、上端を基準に回動することにより、前記開口部を開閉することを特徴とする請求項７に記載の浴室設備。
【発明の詳細な説明】
【技術分野】
【０００１】
本発明の態様は、浴室に設置された浴室設備に関する。
【背景技術】
【０００２】
浴槽本体の洗い場前面を隠蔽するエプロン部に、利便性向上を図るためカウンター部を取り付けることが求められている。
【０００３】
特許文献１には、親子での入浴時において、親が子供の洗体行為を行う際にも使い勝手を良くするために、エプロン部にカウンター部を着脱自在に取り付けられる浴室設備が知られている。
【先行技術文献】
【特許文献】
【０００４】
【特許文献１】特開２０１６−１５８７９７号公報
【発明の概要】
【発明が解決しようとする課題】
【０００５】
しかしながら、特許文献１に記載された浴室設備の構成では、カウンター部をエプロン部材に設けた場合に、カウンター部を使用する意図のないときには、カウンター部を洗い場の限られたスペースに一時的に退避させる必要が発生していた。そのため、浴室空間として限られたスペースである洗い場の空間を圧迫することにより、洗い場の使い勝手が悪くなる虞があった。
【０００６】
本発明は、かかる課題の認識に基づいてなされたものであり、エプロン部にカウンター部を着脱自在に設けた場合であっても、カウンター部を使用する意図のないときには、カウンター部が浴室の使用者の使い勝手に影響を及ぼさない浴室設備を提供することを目的とする。
【課題を解決するための手段】
【０００７】
第１の発明は、洗い場が設けられた浴室設備であって、前記洗い場と並べて設置された浴槽本体と、前記浴槽本体の前記洗い場側に設けられたエプロン部と、前記浴槽本体と前記洗い場とが並ぶ前後方向と直交する左右方向において、前記浴槽本体の上に並べて載置される複数の風呂蓋と、を備え、前記エプロン部は、前記複数の風呂蓋の少なくとも１つを着脱可能に保持する保持部を有し、前記保持部は、前記前後方向及び前記左右方向に延びるように前記少なくとも１つの風呂蓋を保持することを特徴とする浴室設備である。
【０００８】
この浴室設備によれば、少なくとも１つの風呂蓋を前後方向及び左右方向に延びるようにエプロン部に保持することにより、風呂蓋を一時的な物を置くためのカウンター（載置台）として利用することができる。そのため、浴室利用者がカウンターを使用する意図がないときには、風呂蓋として収納することが可能となり、洗い場の使い勝手に影響を及ぼすことを抑制することができる。また、カウンターを追加の部材として設ける必要がないため、カウンターを使用する意図がないときに、別部材として用意したカウンターを洗い場の空間に仮置きすることが不要となり、浴室内の見栄えが低下することを抑制することができる。
【０００９】
第２の発明は、第１の発明において、前記保持部に保持された状態において、前記少なくとも１つの風呂蓋の前記左右方向の長さは、前記少なくとも１つの風呂蓋の前記前後方向の長さよりも長いことを特徴とする浴室設備である。
【００１０】
この浴室設備によれば、エプロン部の左右方向に沿って風呂蓋を幅広くカウンターとして利用しつつ、風呂蓋の洗い場側への前出を短く抑えることができる。
【００１１】
第３の発明は、第２の発明において、前記複数の風呂蓋の数は、３つ以上であり、前記少なくとも１つの風呂蓋は、前記浴槽本体の上に並べて載置された状態において、前記複数の風呂蓋の他の風呂蓋よりも前記左右方向における長さが短いことを特徴とする浴室設備である。
【００１２】
この浴室設備によれば、複数の風呂蓋の数を３つ以上とし、浴槽本体の上に並べて載置された状態において、他の風呂蓋よりも左右方向における長さが短い風呂蓋をカウンターとして用いることにより、カウンターとして利用する際に、風呂蓋の洗い場側の前出をより短く抑えることができる。
【００１３】
第４の発明は、第１〜第３のいずれか１つの発明において、前記保持部は、前記エプロン部に設けられた開口部であり、前記少なくとも１つの風呂蓋は、前記開口部に挿入することによって前記開口部に保持されることを特徴とする浴室設備である。
【００１４】
この浴室設備によれば、カウンターとして利用する風呂蓋を開口部に挿入するだけで、着脱可能とすることができる。
【００１５】
第５の発明は、第４の発明において、前記少なくとも１つの風呂蓋は、前記開口部に挿入された際に前記エプロン部と係合する係合部を有することを特徴とする浴室設備である。
【００１６】
この浴室設備によれば、係合部の係合によって風呂蓋をエプロン部に保持することができ、風呂蓋をエプロン部に適切に保持させつつ、風呂蓋の着脱をより簡単に行うことができる。
【００１７】
第６の発明は、第５の発明において、前記少なくとも１つの風呂蓋の前記係合部は、前記浴槽本体の上に載置された際に、隣接する別の前記風呂蓋に設けられた被係合部と係合することを特徴とする浴室設備である。
【００１８】
この浴室設備によれば、浴槽内を覆うために風呂蓋を使用している際の係合部の露出を抑制することができ、風呂蓋及び浴室設備の意匠性を高めることができる。
【００１９】
第７の発明は、第４〜第６のいずれか１つの発明において、前記エプロン部は、前記開口部を開閉するカバーをさらに有することを特徴とする浴室設備である。
【００２０】
この浴室設備によれば、風呂蓋をカウンターとして使用しない際には、エプロン部の開口部が塞がれることにより、意匠性に影響を及ぼし難くすることができる。また、エプロン部の開口部にゴミや水などを入り込み難くすることができる。これにより、例えば、着脱部分のメンテナンスが容易となる。
【００２１】
第８の発明は、第７の発明において、前記カバーは、上端を基準に回動することにより、前記開口部を開閉することを特徴とする浴室設備である。
【００２２】
この浴室設備によれば、カバーを取り外す手間が不要となり、カバーを洗い場の空間に仮置きすることが不要となるので、浴室内の見栄えが低下することやカバーの破損する虞を抑制することができ、また、上端を基準に回動することから、回動部分にゴミや水などが溜ることを抑制し、回動部分の不具合の発生を抑制することができる。
【発明の効果】
【００２３】
本発明の態様によれば、エプロン部にカウンター部材を着脱自在に設けた場合であっても、カウンター部を使用する意図のないときには、カウンター部が浴室の使用者の使い勝手に影響を及ぼさない浴室設備が提供される。
【図面の簡単な説明】
【００２４】
【図１】実施形態に係る浴室設備を示す模式的斜視図である。
【図２】実施形態に係る浴槽及び風呂蓋を示す模式的上面図である。
【図３】実施形態に係る風呂蓋を示す模式的断面図である。
【図４】実施形態に係る浴槽を示す模式的側面図である。
【図５】実施形態に係る浴槽を示す模式的断面図である。
【図６】実施形態に係る浴槽及び風呂蓋を示す模式的斜視図である。
【図７】実施形態に係る浴槽及び風呂蓋を示す模式的平面図である。
【発明を実施するための形態】
【００２５】
以下、本発明の実施の形態について図面を参照しつつ説明する。なお、各図面中、同様の構成要素には同一の符号を付して詳細な説明は適宜省略する。  
図１は、実施形態に係る浴室設備を示す模式的斜視図である。  
図１に示すように、浴室設備１は、カウンター２と、水栓装置３と、浴槽５と、洗い場７と、を備えている。水栓装置３は、例えば金属製の水栓本体（図示せず）を、例えば樹脂製のカバー（図示せず）で覆うことによって形成されている。
【００２６】
浴槽５は、浴槽本体５ｄと、エプロン部８と、を有する。浴槽本体５ｄは、例えば繊維強化プラスチック（ＦＲＰ）で成形されており、浴室設備１に設置された内槽５ａと、内槽５ａから外方略水平に延出するフランジ５ｂと、を有する。フランジ５ｂは、換言すれば、浴槽本体５ｄの上端である。内槽５ａは、フランジ５ｂから下方に凹む。
【００２７】
浴槽本体５ｄ（浴槽５）は、洗い場７と並べて設置される。エプロン部８は、浴槽本体５ｄの洗い場７側に設けられる。フランジ５ｂは、洗い場７の床面よりも上方に位置する。エプロン部８は、換言すれば、浴槽５の洗い場７側を向く側面である。エプロン部８は、例えば、浴槽本体５ｄの洗い場７側の側面に着脱可能に取り付けられ、浴槽本体５ｄの洗い場７側の側面を隠蔽する。エプロン部８は、浴槽本体５ｄと一体的に形成されていてもよい。
【００２８】
以下、本願明細書では、浴槽本体５ｄから洗い場７に向かう方向を「前方」とし、これと反対の方向を「後方」とする。そして、前方を向いた状態における上方、下方、右側方、左側方を、それぞれ、「上方」、「下方」、「右側方」、「左側方」とする。従って、浴槽本体５ｄと洗い場７とが並ぶ方向が、前後方向であり、前後方向と直交する方向が、左右方向である。エプロン部８は、換言すれば、浴槽５の前方を向く側面である。エプロン部８は、浴槽本体５ｄの洗い場７側の前面を隠蔽する。
【００２９】
カウンター２は、例えばＦＲＰで成形されている。洗い場７は、例えば熱可塑性樹脂によって成形されている。洗い場７の表面は、例えば排水性向上及び滑り止めのための凹凸が形成されている。１５は浴室設備１における洗い場７の側方の壁面であって、洗い場７の浴槽５と反対側もしくは浴室設備１の壁面１５の反対側に浴室設備１の出入り口が設けられる。
【００３０】
浴室設備１の壁面１５には水栓装置３が設置されたカウンター２が設置されている。水栓装置３には、可とう性のホースを通じて、例えば熱可塑性樹脂によって成形されたシャワーヘッド４ａが接続されている。シャワーヘッド４ａは壁面１５に設置された、例えば熱可塑性樹脂によって成形された壁側シャワーヘッド保持部材４ｂに固定することができる。
【００３１】
図２は、実施形態に係る浴槽及び風呂蓋を示す模式的上面図である。  
図２に表したように、浴室設備１は、複数の風呂蓋２１〜２３をさらに備える。風呂蓋２１〜２３は、左右方向において浴槽本体５ｄの上に並べて載置される。風呂蓋２１〜２３は、板状である。浴槽本体５ｄを上方から見た形状は、例えば、左右方向に延びた長方形状である。なお、図１では、便宜的に、風呂蓋２１〜２３の図示を省略している。
【００３２】
左右方向は、換言すれば、浴槽本体５ｄの長手方向である。風呂蓋２１〜２３は、浴槽本体５ｄの長手方向において複数に分割されている。風呂蓋２１〜２３は、いわゆる組蓋である。この例おいて、浴室設備１は、浴槽本体５ｄの長手方向に３つに分割された３つの風呂蓋２１〜２３を備える。浴室設備１の備える風呂蓋の数は、３つに限ることなく、２つでもよいし、４つ以上でもよい。なお、複数の風呂蓋２１〜２３は、図示のように分離可能に構成されていてもよいし、一部が接続され、折り畳み可能に構成されていてもよい。
【００３３】
風呂蓋２１〜２３には、熱可塑性発泡樹脂が用いられている。熱可塑性発泡樹脂としては、例えば発泡ポリプロピレン、発泡ポリスチレン、発泡ポリエチレン、発泡ポリウレタンなどが挙げられる。
【００３４】
浴槽本体５ｄの上に載置された状態において、風呂蓋２１〜２３の前後方向の長さは、実質的に同じである。換言すれば、風呂蓋２１〜２３の浴槽本体５ｄの短手方向の長さは、実施的に同じである。一方、浴槽本体５ｄの上に載置された状態において、風呂蓋２１〜２３の左右方向の長さＬ１〜Ｌ３は、異なっている。風呂蓋２１〜２３の浴槽本体５ｄの左右方向の長さＬ１〜Ｌ３は、異なっている。
【００３５】
風呂蓋２１の左右方向の長さＬ１は、他の風呂蓋２２、２３の左右方向の長さＬ２、Ｌ３よりも短い。従って、風呂蓋２１は、他の風呂蓋２２、２３よりも風呂蓋の面積が小さく、軽い。なお、風呂蓋２２、２３の長さＬ２、Ｌ３は、同じでもよいし、異なってもよい。
【００３６】
風呂蓋２１は、複数の風呂蓋２１〜２３の中で左右方向の一方の端に位置する風呂蓋である。風呂蓋２１の隣接する風呂蓋２２と接する側の端部２１ａは、直線状である。一方、風呂蓋２１の端部２１ａと反対側の端部２１ｂは、凸状に湾曲している。端部２１ｂは、浴槽本体５ｄの長手方向において外側に丸みを帯びるように凸状に湾曲する。例えば、中央付近の一部分などに直線状の部分が含まれている場合も、凸状に湾曲する状態に含まれるものとする。
【００３７】
図３は、実施形態に係る風呂蓋を示す模式的断面図である。  
図３は、図２のＡ１−Ａ２線断面を模式的に表す。  
図３に表したように、風呂蓋２１は、係合部２１ｃを有する。係合部２１ｃは、風呂蓋２１の風呂蓋２２と接する側の端部２１ａに設けられる。係合部２１ｃは、浴槽本体５ｄの上に載置された際に、隣接する別の風呂蓋２２に設けられた被係合部２２ａと係合する。係合部２１ｃ及び被係合部２２ａは、例えば、互いに組み合わさるように形成された凹凸形状である。また、同様に、風呂蓋２２は、隣接する別の風呂蓋２３に設けられた被係合部２３ａと係合する係合部２２ｂを有する。
【００３８】
図４は、実施形態に係る浴槽を示す模式的側面図である。  
図５（ａ）〜図５（ｃ）は、実施形態に係る浴槽を示す模式的断面図である。  
図６は、実施形態に係る浴槽及び風呂蓋を示す模式的斜視図である。  
図５（ａ）〜図５（ｃ）は、図４のＢ１−Ｂ２線断面を模式的に表す。  
図４〜図６に表したように、エプロン部８は、複数の風呂蓋２１〜２３の少なくとも１つを着脱可能に保持する開口部３０（保持部）を有する。
【００３９】
開口部３０は、例えば、浴槽本体５ｄの上に並べて載置された状態において、左右方向における長さが最も短い風呂蓋２１を保持する。すなわち、開口部３０は、最も面積が小さい風呂蓋２１を保持する。風呂蓋２１は、開口部３０に挿入することによって、開口部３０に保持される。この開口部３０の左右方向における幅は、エプロン部８の許容可能な強度を考慮し、内槽５ａの幅より狭く設けられている、換言すると開口部３０は内槽５ａの前後方向から左右方向にはみ出さないように設けられている。また、開口部３０の上下方向における幅は、端部２１ａの幅より数ｍｍ程度広く設けられている。
【００４０】
風呂蓋２１の係合部２１ｃは、開口部３０に挿入された際に、エプロン部８と係合する。係合部２１ｃは、エプロン部８の被係合部８ａと係合する。係合部２１ｃは、熱可塑性発泡樹脂などの樹脂材料からなり、弾性を有する。また、被係合部８ａは図５（ｃ）のように、エプロン部８に対し直交する形状でもよいが、挿入容易性を考慮して、エプロン部８に対し奥側に向かって下方傾斜した形状でもよい。
【００４１】
また、風呂蓋２１を開口部３０に挿入した状態では、被係合部８ａと係合部２１ｃとの間には空隙Ｃ１が、端部２１ａと内槽５ａとの間には空隙Ｃ２が設けられている。このことにより、浴槽５の利用時に熱可塑性の発泡樹脂である風呂蓋２１をカウンターとして利用する際には、例えば、風呂蓋２１が浴槽５の湯気によって暖められ、膨張した状態となっている虞があるが、端部２１ａと内槽５ａとの間に設けられた空隙Ｃ２により、熱膨張による伸縮量を吸収し開口部３０にしっかりと挿入できる。
【００４２】
また、例えば、カウンター利用時に風呂蓋２１に冷水がかかったり周囲の温度の影響により風呂蓋２１が収縮した際には、被係合部８ａと係合部２１ｃとの間に設けられた空隙Ｃ１により、収縮量を吸収し風呂蓋２１が撓むことを抑制することが出来るとともに、開口部３０へ風呂蓋２１を挿入する際には、空隙Ｃ１があるため挿入しやすく、カウンターとして利用する際には、空隙Ｃ１が小さくなり保持力がより向上した状態となるカウンター取付構造が実現できる。この風呂蓋２１を取り外す時には、係合部２１ｃを弾性変形させながら開口部３０から端部２１ａを取り外すことが出来る。
【００４３】
開口部３０は、前後方向及び左右方向に延びるように風呂蓋２１を保持する。換言すれば、開口部３０は、風呂蓋２１を略水平に保持する。これにより、浴室設備１では、エプロン部８及び開口部３０に保持された風呂蓋２１をカウンター部材として用いることができる。例えば、保持された風呂蓋２１の上に、シャンプーボトルなどの物品を載置することができる。
【００４４】
開口部３０の保持する風呂蓋は、風呂蓋２１に限ることなく、風呂蓋２２や風呂蓋２３でもよい。また、開口部３０は、２つ以上の風呂蓋２１〜２３を保持してもよい。例えば、風呂蓋２１〜２３が折り畳み式の場合などには、風呂蓋２１〜２３の全てを保持してもよい。このように、開口部３０は、複数の風呂蓋２１〜２３の少なくとも１つを着脱可能に保持するものであればよい。
【００４５】
この例では、凹凸状の係合部２１ｃを示している。係合部２１ｃの形状は、これに限定されるものではない。係合部２１ｃは、例えば、エプロン部８に設けられた凸状の被係合部と係合する凹状の形状でもよいし、反対に、エプロン部８に設けられた凹状の被係合部と係合する凸状の形状でもよい。係合部２１ｃの形状は、エプロン部８と係合可能な任意の形状でよい。
【００４６】
図６に表したように、開口部３０に保持された状態において、風呂蓋２１の左右方向の長さＬ１１は、風呂蓋２１の前後方向の長さＬ１２よりも長い。換言すれば、開口部３０に保持された状態において、風呂蓋２１の左右方向の幅は、風呂蓋２１の前方への突出量よりも長い。
【００４７】
前述のように、風呂蓋２１の端部２１ｂは、凸状に湾曲している。風呂蓋２１の端部２１ｂは、開口部３０に保持された状態において、前方に向かって凸状に湾曲する。すなわち、風呂蓋２１は、開口部３０に保持された状態において、ラウンド形状を呈する。これにより、風呂蓋２１をカウンター部材として用いる際に、風呂蓋２１によって洗い場７のスペースを圧迫してしまうことを抑制することができる。また、浴室利用者に風呂蓋２１の角部が接触し、浴室利用者に不快感を与えてしまうことなどを抑制することもできる。
【００４８】
開口部３０の左右方向の長さは、風呂蓋２１の左右方向の長さＬ１１よりも長い。これにより、風呂蓋２１を開口部３０に沿って摺動させることで、カウンター部材として用いる風呂蓋２１の左右方向の位置を調整することができる。
【００４９】
図４〜図６に表したように、エプロン部８は、開口部３０を開閉するカバー４０をさらに有する。カバー４０は、上端を基準に回動することにより、開口部３０を開閉する。カバー４０は、例えば、ヒンジなどを介して回動可能にエプロン部８に取り付けられる。これにより、カバー４０は、開口部３０を閉じた閉じ位置（図５（ａ）に表した位置）と、開口部３０を開いた開き位置（図５（ｂ）及び図５（ｃ）に表した位置）と、に移動する。さらに、図５（ｃ）のように、カバー４０が風呂蓋２１の端部２１ａの上面と当接することで、風呂蓋２１をカウンターとして利用した際にカウンターに物品を載せた際に、柔らかい発泡樹脂製の風呂蓋２１であっても、風呂蓋２１の回転を抑制できる。
【００５０】
なお、カバー４０の構成は、上端を基準に回動することにより、開口部３０を開閉する構成に限定されるものではない。カバー４０の構成は、開口部３０を開閉可能な任意の構成でよい。カバー４０は、例えば、開口部３０に着脱可能に取り付けられることにより、開口部３０を開閉する構成などでもよい。また、カバー４０は、必要に応じて設けられ、省略可能である。
【００５１】
また、上記実施形態では、複数の風呂蓋の少なくとも１つを保持する着脱可能に保持する保持部として、開口部３０を示している。保持部は、開口部３０に限ることなく、少なくとも１つの風呂蓋を着脱可能に保持することができる任意の構成でよい。保持部は、例えば、風呂蓋の上下を挟んで保持する一対の突起などでもよい。
【００５２】
図７は、実施形態に係る浴槽及び風呂蓋を示す模式的平面図である。図７に表したように、浴槽５の端部には、簡単に半身浴ができる半身浴ベンチ５ｅが設けられている。半身浴ベンチ５ｅは、浴槽５の左右方向の一端に設けられている。半身浴ベンチ５ｅは、内槽５ａの底面５ｆよりも上方に位置する。半身浴ベンチ５ｅの高さは、内槽５ａの底面５ｆよりも上方、かつフランジ５ｂよりも下方に位置する。半身浴ベンチ５ｅの高さは、例えば、一般的な体格の成人が腰掛けやすい高さに設定される。これにより、半身浴ベンチ５ｅに腰掛けることで、利用者に半身浴を簡単に行わせることができる。また、半身浴ベンチ５ｅが設けられることにより、浴槽内に満たされる水量を節約でき、さらに、貯湯のための光熱水費を節約することができる。
【００５３】
図７に表したように、風呂蓋２１を開口部３０に取り付けた際には、左右方向における風呂蓋２１の幅Ｗ１は、内槽５ａに設けられた半身浴ベンチ５ｅの左右方向の幅Ｗ２より広い。また、左右方向における風呂蓋２１の幅Ｗ１は、内槽５ａの左右方向の幅から半身浴ベンチ５ｅの左右方向の幅Ｗ２を除いた幅Ｗ３よりも狭い。このことにより、半身浴ベンチ５ｅに座った利用者からエプロン部８に取付けた風呂蓋２１をカウンターとして利用しやすい。また、風呂蓋２１の幅Ｗ１を、内槽５ａの幅Ｗ３よりも狭くすることにより、例えば、半身浴ベンチ５ｅに座った利用者が風呂蓋２１をカウンターとして利用するため、風呂蓋２１を半身浴ベンチ５ｅ側に取り付けていた場合に、開口部３０の左右方向における反対側に風呂蓋２１を操作することができる。これにより、利用者が半身浴ベンチ５ｅから洗い場７へ移動する際に、移動経路上に風呂蓋２１が位置し、利用者の移動の妨げとなってしまうことを抑制することができる。例えば、半身浴ベンチ５ｅに座っている利用者を、そのまま浴槽５から洗い場７側へ移動させることができる。
【００５４】
以上、説明したように、本実施形態に係る浴室設備１では、少なくとも１つの風呂蓋２１を前後方向及び左右方向に延びるようにエプロン部８に保持することにより、風呂蓋２１を一時的な物を置くためのカウンター（載置台）として利用することができる。そのため、浴室利用者がカウンターを使用する意図がないときには、風呂蓋２１として収納することが可能となる。風呂蓋２１〜２３は、例えば、浴槽５の上において、壁面１５に立てかけた状態で収納（保持）することができる。これにより、洗い場７の使い勝手に影響を及ぼすことを抑制することができる。また、カウンターを追加の部材として設ける必要がないため、カウンターを使用する意図がないときに、別部材として用意したカウンターを洗い場７の空間に仮置きすることが不要となり、浴室内の見栄えが低下することを抑制することができる。
【００５５】
また、浴室設備１では、エプロン部８に保持された状態において、風呂蓋２１の左右方向の長さＬ１１は、風呂蓋２１の前後方向の長さＬ１２よりも長い。これにより、エプロン部８の左右方向に沿って風呂蓋２１を幅広くカウンターとして利用しつつ、風呂蓋２１の洗い場７側への前出を短く抑えることができる。
【００５６】
また、浴室設備１では、エプロン部８に取り付けられる少なくとも１つの風呂蓋２１が、他の風呂蓋２２、２３よりも浴槽本体の上に並べて載置された状態において、左右方向における長さが短い。このように、他の風呂蓋２２、２３よりも浴槽本体の上に並べて載置された状態において、左右方向が短い風呂蓋２１をカウンターとして用いることにより、カウンターとして利用する際に、風呂蓋２１の洗い場７側への前出をより短く抑えることができる。
【００５７】
また、浴室設備１では、風呂蓋２１が、開口部３０に挿入することによって開口部３０に保持される。これにより、カウンターとして利用する風呂蓋２１を開口部３０に挿入するだけで、着脱可能とすることができる。風呂蓋２１のエプロン部８への着脱を容易に行うことができる。
【００５８】
また、浴室設備１では、風呂蓋２１が、エプロン部８と係合する係合部２１ｃを有する。これにより、係合部２１ｃの係合によって風呂蓋２１をエプロン部８に保持することができ、風呂蓋２１をエプロン部８に適切に保持させつつ、風呂蓋２１の着脱をより簡単に行うことができる。
【００５９】
また、浴室設備１では、風呂蓋２１の係合部２１ｃが、浴槽本体５ｄの上に載置された際に、隣接する別の風呂蓋２２に設けられた被係合部２２ａと係合する。これにより、浴槽５内を覆うために風呂蓋２１を使用している際の係合部２１ｃの露出を抑制することができ、風呂蓋２１〜２３及び浴室設備１の意匠性を高めることができる。
【００６０】
また、浴室設備１では、エプロン部８が、開口部３０を開閉するカバー４０を有する。これにより、風呂蓋２１をカウンターとして使用しない際には、エプロン部８の開口部３０が塞がれることにより、意匠性に影響を及ぼし難くすることができる。また、エプロン部８の開口部３０にゴミや水などを入り込みにくくすることができる。これにより、例えば、着脱部分のメンテナンスを容易にすることができる。
【００６１】
また、浴室設備１では、カバー４０が、上端を基準に回動することにより、開口部３０を開閉する。これにより、カバー４０を取り外す手間が不要となり、カバー４０を洗い場７の空間に仮置きすることが不要となるので、浴室内の見栄えが低下することやカバー４０の破損する虞を抑制することができ、また、上端を基準に回動することから、回動部分にゴミや水などが溜ることを抑制し、回動部分の不具合の発生を抑制することができる。
【００６２】
前述の実施の形態に関して、当業者が適宜設計変更を加えたものも、本発明の特徴を備えている限り、本発明の範囲に包含される。例えば、浴室設備１が備える各要素の形状、寸法、材質、配置などや、浴室設備１の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００６３】
１ 浴室設備、  ２ カウンター、  ３ 水栓装置、  ４ａ シャワーヘッド、  ４ｂ 壁側シャワーヘッド保持部材、  ５ 浴槽、  ５ａ 内槽、  ５ｂ フランジ、  ５ｄ 浴槽本体、  ５ｅ 半身浴ベンチ、  ５ｆ 底面、  ７ 洗い場、  ８ エプロン部、  ８ａ 被係合部、  １５ 壁面、  ２１ 風呂蓋、  ２１ａ 端部、  ２１ｂ 端部、  ２１ｃ 係合部、  ２２ 風呂蓋、  ２２ａ 被係合部、  ２２ｂ 係合部、  ２３ 風呂蓋、  ２３ａ 被係合部、  ３０ 開口部、  ４０ カバー
【図１】
2019208841.tif 000003
【図２】
2019208841.tif 000004
【図３】
2019208841.tif 000005
【図４】
2019208841.tif 000006
【図５】
2019208841.tif 000007
【図６】
2019208841.tif 000008
【図７】
2019208841.tif 000009